(57)【要約】【課題】三脚などを使わずに撮影者自身を含む集合写真を撮影する。【解決手段】電子カメラは、撮像手段１２と、Ｎ人の被写体人物をそれぞれ撮影する各コマの撮影後に、前コマ撮影時の主要被写体人物の隣の未撮影人物を次コマ撮影の主要被写体とし、前コマ撮影と次コマ撮影とで撮影範囲の一部が重複するように次コマ撮影のフレーミングをすることを促し、(Ｎ−１)コマ撮影後は、(Ｎ−１)コマ撮影時の撮影操作をした第１撮影者と(Ｎ−１)コマ撮影時の主要被写体人物以外の撮影済み人物が交代し、交代人物と反対側の位置であって(Ｎ−１)コマ撮影時の主要被写体人物の隣へ第１撮影者が移動し、第１撮影者を第Ｎコマ撮影時の主要被写体とし、(Ｎ−１)コマ撮影と第Ｎコマ撮影とで撮影範囲の一部が重複するように第Ｎコマ撮影のフレーミングをすること、を促す撮影アシスト手段２１（２４）、１７と、複数の撮影による複数の画像データを関連づけてそれぞれ記録する記録手段２１、１５、１６とを備える。【選択図】図１
2010034838.tif 000002
【特許請求の範囲】
【請求項１】
被写体像を撮像して画像データを出力する撮像手段と、
Ｎ人の被写体人物をそれぞれ撮影する各コマの撮影後に、前コマ撮影時の主要被写体人物の隣の未撮影人物を次コマ撮影の主要被写体とし、前コマ撮影と次コマ撮影とで撮影範囲の一部が重複するように次コマ撮影のフレーミングをすること、を促すとともに、(Ｎ−１)コマ撮影後は、前記(Ｎ−１)コマ撮影時の撮影操作をした第１撮影者と前記(Ｎ−１)コマ撮影時の主要被写体人物以外の撮影済み人物が交代し、前記交代人物と反対側の位置であって前記(Ｎ−１)コマ撮影時の主要被写体人物の隣へ前記第１撮影者が移動し、前記第１撮影者を第Ｎコマ撮影時の主要被写体とし、前記(Ｎ−１)コマ撮影と前記第Ｎコマ撮影とで撮影範囲の一部が重複するように前記第Ｎコマ撮影のフレーミングをすること、を促す撮影アシスト手段と、
前記複数の撮影による複数の画像データを関連づけてそれぞれ記録する記録手段とを備えることを特徴とする電子カメラ。
【請求項２】
請求項１に記載の電子カメラにおいて、
前記画像データに基づいてモニタ用画像を再生表示する表示装置と、
前記モニタ用画像に含まれる顔領域を検出する検出手段とをさらに備え、
前記撮影アシスト手段は、前記モニタ用画像から前記顔領域が複数検出された場合に前記アシスト処理を行うことを特徴とする電子カメラ。
【請求項３】
請求項２に記載の電子カメラにおいて、
前記撮影アシスト手段は、前記各コマ撮影のフレーミング時に、前記顔領域が前記撮影範囲の中央に位置するか否かに応じて、前記表示装置に再生表示されているモニタ用画像の中で前記顔領域を示す表示の態様を異ならせる表示制御手段を含むことを特徴とする電子カメラ。
【請求項４】
請求項２に記載の電子カメラにおいて、
前記撮影アシスト手段は、前記各コマ撮影のフレーミング時に、前コマ撮影時の主要被写体人物の一部を撮影範囲に含むように前記各コマ撮影時のフレーミングを促すことを特徴とする電子カメラ。
【請求項５】
請求項２〜４のいずれか一項に記載の電子カメラにおいて、
カメラが縦位置姿勢か否かを検出する姿勢検出手段と、
前記姿勢検出手段によって前記縦位置姿勢が検出された場合に撮影操作を受け付ける制御手段とをさらに備えることを特徴とする電子カメラ。
【請求項６】
請求項２〜５のいずれか一項に記載の電子カメラにおいて、
前記各コマの撮影後、当該画像の適否を指示する信号を入力する操作部材を備え、
前記アシスト手段は、前記操作部材から適信号が入力された場合に次コマ撮影のためのアシストを始めることを特徴とする電子カメラ。
【請求項７】
請求項１〜６のいずれか一項に記載の電子カメラにおいて、
前記撮影範囲の一部が重複する第１画像〜前記第Ｎ画像から１つの人物集合写真を合成する画像合成手段をさらに備えることを特徴とする電子カメラ。
【発明の詳細な説明】
【技術分野】
【０００１】
本発明は、電子カメラに関する。
【背景技術】
【０００２】
人物などの集合写真の撮影をアシストするカメラが知られている（特許文献１参照）。従来技術では、プレビュー画像から検出した顔部分を表示部に拡大表示し、選択操作によって拡大表示する顔を切替えることにより、撮影者がそれぞれの顔の画像を確認できるようにしている。
【０００３】
【特許文献１】特開２００５−１０２１７５号公報
【発明の開示】
【発明が解決しようとする課題】
【０００４】
従来の集合写真の撮影では、三脚などを使わないと撮影者自身が集合写真に加わることができないという問題があった。
【課題を解決するための手段】
【０００５】
本発明による電子カメラは、被写体像を撮像して画像データを出力する撮像手段と、Ｎ人の被写体人物をそれぞれ撮影する各コマの撮影後に、前コマ撮影時の主要被写体人物の隣の未撮影人物を次コマ撮影の主要被写体とし、前コマ撮影と次コマ撮影とで撮影範囲の一部が重複するように次コマ撮影のフレーミングをすること、を促すとともに、(Ｎ−１)コマ撮影後は、(Ｎ−１)コマ撮影時の撮影操作をした第１撮影者と(Ｎ−１)コマ撮影時の主要被写体人物以外の撮影済み人物が交代し、交代人物と反対側の位置であって(Ｎ−１)コマ撮影時の主要被写体人物の隣へ第１撮影者が移動し、第１撮影者を第Ｎコマ撮影時の主要被写体とし、(Ｎ−１)コマ撮影と第Ｎコマ撮影とで撮影範囲の一部が重複するように第Ｎコマ撮影のフレーミングをすること、を促す撮影アシスト手段と、複数の撮影による複数の画像データを関連づけてそれぞれ記録する記録手段とを備えることを特徴とする。
【発明の効果】
【０００６】
本発明による電子カメラでは、撮影者自身を含む高品位の集合写真を撮影できる。
【発明を実施するための最良の形態】
【０００７】
以下、図面を参照して本発明を実施するための最良の形態について説明する。図１は、本発明の一実施の形態による電子カメラの構成を示すブロック図である。図１において、電子カメラは、撮像光学系１１と、撮像素子１２と、ＡＦＥ(Analog front end)回路１３と、画像処理部１４と、バッファメモリ１５と、記録インターフェース(I/F)１６と、モニタ１７と、操作部材１８と、半押しスイッチ１９ａと、全押しスイッチ１９ｂと、ＣＰＵ２１と、縦／横センサ５０とを備える。
【０００８】
ＣＰＵ２１、記録インターフェース１６、画像処理部１４、バッファメモリ１５、およびモニタ１７は、それぞれがバス２２を介して接続されている。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
撮像素子１２は、受光面に受光素子が二次元配列されたＣＣＤイメージセンサやＣＭＯＳイメージセンサなどによって構成される。撮像素子１２は、撮像光学系１１を通過した光束による被写体像を光電変換してアナログ画像信号を生成する。アナログ画像信号は、ＡＦＥ回路１３に入力される。
【００１１】
ＡＦＥ回路１３は、アナログ画像信号に対して相関二重サンプリングやゲイン調整を行うとともに、アナログ処理後の画像信号をデジタルデータに変換する。デジタル画像データは、画像処理部１４に入力される。画像処理部１４は、デジタル画像データに対して各種の画像処理（色補間処理、階調変換処理、輪郭強調処理、ホワイトバランス調整処理など）を施す。
【００１２】
バッファメモリ１５は、画像処理部１４による画像処理の前工程や後工程での画像データを一時的に記憶する。記録インターフェース１６はコネクタ（不図示）を有し、該コネクタに記録媒体２３が接続される。記録インターフェース１６は、接続された記録媒体２３に対するデータの書き込みや、記録媒体２３からのデータの読み込みを行う。記録媒体２３は、半導体メモリを内蔵したメモリカード、またはハードディスクドライブなどで構成される。
【００１３】
モニタ１７は液晶パネルによって構成され、ＣＰＵ２１からの指示に応じて画像や操作メニューなどを再生表示する。操作部材１８は、コマンドダイヤル、十字キー、決定ボタンなどを含む。操作部材１８は、モード切替え操作やメニュー選択操作など、各操作に応じた操作信号をＣＰＵ２１へ送出する。
【００１４】
半押しスイッチ１９ａおよび全押しスイッチ１９ｂは、レリーズボタン（不図示）の押下操作に連動して、それぞれがオン信号をＣＰＵ２１へ出力する。スイッチ１９ａからのオン信号（半押し操作信号）は、レリーズボタンが通常ストロークの半分程度まで押し下げ操作されると出力され、半ストロークの押し下げ操作解除で出力が解除される。スイッチ１９ｂからのオン信号（全押し操作信号）は、レリーズボタンが通常ストロークまで押し下げ操作されると出力され、通常ストロークの押し下げ操作が解除されると出力が解除される。半押し操作信号は、ＣＰＵ２１に対して撮影準備の開始を指示する。全押し操作信号は、ＣＰＵ２１に対して撮影開始を指示する。
【００１５】
ＣＰＵ２１は、ＲＯＭ（不図示）に格納されたプログラムを実行することによって電子カメラが行う動作を統括的に制御する。ＣＰＵ２１は、ＡＦ（オートフォーカス）動作制御や、自動露出（ＡＥ）演算、オートホワイトバランス演算の他、後述する集合写真撮影のために必要な演算も行う。ＡＦ動作は、たとえば、スルー画像のコントラスト情報に基づいてフォーカシングレンズ（不図示）の合焦位置を求めるコントラスト検出方式を用いる。スルー画像は、撮影指示前に撮像素子１２が取得するモニタ用画像のことをいう。
【００１６】
ＣＰＵ２１は、顔検出部２４としても機能する。顔検出部２４は、スルー画像に含まれる顔領域を検出する。顔検出処理は、公知の特徴点抽出処理によって眉、目、鼻、唇の各端点などの特徴点を抽出し、抽出した特徴点に基づいて顔領域か否かを判定する。なお、スルー画像とあらかじめ用意した参照データ（顔画像など）との相関関数を求め、この関数が所定の判定閾値を超えた場合に顔領域と判定するように構成してもよい。
【００１７】
縦／横センサ５０は、電子カメラが縦位置姿勢に構えられたこと、または横位置姿勢に構えられたことを検出し、検出信号をＣＰＵ２１へ送出する。
【００１８】
本実施形態の電子カメラは、撮影者自身を含めて集合写真を撮影する場合の動作に特徴を有するので、この撮影動作を中心に説明する。電子カメラのＣＰＵ２１は、たとえば、撮影モード時にメニュー選択操作によって撮影アシスト機能がオン設定されると、全員撮影アシストモードの処理を起動させる。全員撮影アシストモードは、人物を一人ずつ撮影し、最後に撮影者を交代して当初の撮影者を他の人物が撮影するようにアシストするモードである。
【００１９】
また、ＣＰＵ２１は、メニュー選択操作によって撮影アシスト機能がオフ設定された場合には、全員撮影アシストモードを起動しないように構成されている。全員撮影アシストモードを起動しない場合は後述する通常撮影処理を行う。
【００２０】
＜全員撮影アシスト＞  
「全員撮影アシスト」モード時にＣＰＵ２１が行う処理の流れについて、図２および図３に例示するフローチャートを参照して説明する。ＣＰＵ２１は、メニュー選択操作によって「全員撮影アシスト」の機能がオン設定されると、図２の処理を行うプログラムを起動してユーザーによる集合写真撮影を手助けする。
【００２１】
図２のステップＳ１０１において、ＣＰＵ２１は、操作部材１８からの操作信号に応じてモニタ１７に設定画面を表示させる。ＣＰＵ２１は、操作部材１８からの操作信号に応じた設定を行うとステップＳ１０２へ進む。なお、設定変更の必要がない場合にはステップＳ１０１を省略してステップＳ１０２へ進んでもよい。
【００２２】
ステップＳ１０２において、ＣＰＵ２１は、撮像素子１２にスルー画用の撮像を開始させてステップＳ１０３へ進む。スルー画像の取得は、たとえば３０フレーム／毎秒のフレームレートで繰り返し行う。ＣＰＵ２１は、スルー画像を用いて顔検出やオートフォーカス調節を行うとともに、スルー画像をモニタ１７に逐次表示させながら撮影指示（レリーズ操作）を待つ。
【００２３】
ステップＳ１０３において、ＣＰＵ２１は顔検出処理を行う。ＣＰＵ２１は、検出した顔領域の位置を示す情報を不図示のワークメモリに一時記録させるとともに、検出した顔領域を示す顔マークをモニタ１７に表示中のスルー画像に重ね表示させてステップＳ１０４へ進む。図４は、モニタ１７による表示画面を例示する図である。図４において、フレーム枠１００の内側に２つの顔が検出され、検出された顔領域を示す顔マーク（枠１０１、枠１０２）がそれぞれ重ね表示されている。フレーム枠１００は、スルー画像の撮像範囲に対応する。なお、被写体人物をＡ、Ｂとする。
【００２４】
ステップＳ１０４において、ＣＰＵ２１は、検出した顔の数をＺとし、Ｚの値をワークメモリ（不図示）に一時記録させてステップＳ１０５へ進む。ステップＳ１０５において、ＣＰＵ２１はＺ≧２が成立するか否かを判定する。ＣＰＵ２１は、Ｚ≧２が成立する場合にステップＳ１０５を肯定判定してステップＳ１０６へ進み、Ｚ≧２が成立しない場合にはステップＳ１０５を否定判定してステップＳ５００へ進む。
【００２５】
ステップＳ１０６において、ＣＰＵ２１は、全員撮影アシストを行うか否かを判定する。ＣＰＵ２１は、モニタ１７に、たとえば「全員撮影アシストを行いますか？」というメッセージをモニタ１７に表示中のスルー画像に重ね表示させて操作部材１８からの操作信号を待つ。ＣＰＵ２１は、操作部材１８から肯定操作を示す操作信号が入力された場合にステップＳ１０６を肯定判定してステップＳ１０７へ進む。ＣＰＵ２１は、操作部材１８から否定操作を示す操作信号が入力された場合にはステップＳ１０６を否定判定し、ステップＳ５００へ進む。ステップＳ５００へ進む場合はユーザーが撮影時のアシストを望まない場合である。
【００２６】
（全員撮影）
ステップＳ１０７へ進む場合はユーザーが全員撮影アシストを望む場合である。ステップＳ１０７においてＣＰＵ２１は、たとえば「撮影者分を含めて（Ｚ＋１）枚を撮影します」というメッセージをモニタ１７に表示中のスルー画像に重ね表示させてステップＳ１０８へ進む。
【００２７】
ステップＳ１０８において、ＣＰＵ２１は、カメラが縦位置か否かを判定する。ＣＰＵ２１は、縦／横センサ５０から縦位置を示す信号が入力された場合にステップＳ１０８を肯定判定してステップＳ１０９へ進み、縦／横センサ５０から縦位置を示す信号が入力されない場合にはステップＳ１０８を否定判定し、ステップＳ１０７へ戻る。
【００２８】
ステップＳ１０９において、ＣＰＵ２１は、モニタ１７に顔マークおよびフレーム中心マークを表示させて人物撮影のアシストを行う。具体的には、スルー画像を表示するとともに、ステップＳ１０３で検出した顔領域を示す枠（顔マーク）、フレーム枠１００の中央を示すための十字ライン（縦ライン１１０Ｖおよび横ライン１１０Ｈ）で構成されるフレーム中心マークを、表示中のスルー画像に重ね表示させてステップＳ１１０へ進む。
【００２９】
ユーザーは、図４に例示した表示画面の中で検出されているＺ個の顔、さらにもう１つの顔を、縦位置に構えたカメラでそれぞれ個別に撮影する。本例ではＺ＝２なので、枠１０１が示す顔の人物Ａ、枠１０２が示す顔の人物Ｂ、および当初の撮影者である人物（人物Ｃ）の３画像を撮影するようにアシストする。
【００３０】
ステップＳ１１０において、ＣＰＵ２１は、フレーム枠１００の中央部に「顔」領域を含めてカメラを構えるようにユーザーへ促す表示制御を行ってステップＳ１１１へ進む。
【００３１】
図５は、モニタ１７による表示画面を例示する図である。図５において、フレーム枠１００の内側に、スルー画像およびフレーム中心マーク（１１０Ｖ、１１０Ｈ）、顔マーク（枠１０１）が重ね表示されている。このうち顔マークは、フレーム枠１００内のスルー画像から顔領域を検出している場合にのみ表示される。顔マークの表示色は、顔マークがフレーム枠１００の略中央に位置する場合（たとえば、縦ライン１１０Ｖおよび横ライン１１０Ｈの交点であるフレーム中心１１０ａが顔マーク内に位置する）に緑色とし、顔マークがフレーム枠１００の略中央でない場合（上記フレーム中心１１０ａが顔マークの外に位置する）に赤色とする。撮影者は、フレーム中心１１０ａが顔マーク内に含まれるようにカメラを構えればよい。
【００３２】
ステップＳ１１１において、ＣＰＵ２１は、レリーズボタン（不図示）の半押し操作を受付け、半押しスイッチ１９ａから半押し操作信号を受けた場合にステップＳ１１２へ進む。ステップＳ１１２において、ＣＰＵ２１は、スルー画像データによる顔マーク内のコントラスト情報に基づいてオートフォーカス調節、および同顔マーク内の輝度情報に基づいて自動露出演算を行う。
【００３３】
たとえば、顔マーク１０１が示す顔の人物の撮影（第１画像撮影）をアシストする場合のＣＰＵ２１は、顔マーク１０１内のスルー画像データを用いてオートフォーカス調節、および自動露出演算を行う。同様に、顔マーク１０２が示す顔の人物の撮影（第２画像撮影）をアシストする場合のＣＰＵ２１は、顔マーク１０２内のスルー画像データを用いてオートフォーカス調節、および自動露出演算を行う。図６は、この場合にステップＳ１１０において表示されるモニタ１７による表示画面を例示する図である。
【００３４】
ステップＳ１１３において、ＣＰＵ２１は、レリーズボタン（不図示）が全押し操作されたか否かを判定する。ＣＰＵ２１は、全押しスイッチ１９ｂから全押し操作信号を受けた場合にステップＳ１１３を肯定判定してステップＳ１１４へ進み、全押しスイッチ１９ｂから全押し操作信号を受けない場合にはステップＳ１１３を否定判定してステップＳ１０７へ戻る。
【００３５】
ステップＳ１１４において、ＣＰＵ２１は、撮像素子１２に第Ｎ画像を撮像させてステップＳ１１５へ進む。ステップＳ１１５において、ＣＰＵ２１は、ＡＦＥ回路１３を介して画像処理部１４へ送られた第Ｎ画像データをバッファメモリ１５に記録してステップＳ１１６へ進む。ステップＳ１１６において、ＣＰＵ２１は、第Ｎ画像データによる確認用画像をモニタ１７に表示させてステップＳ１１７へ進む。
【００３６】
ステップＳ１１７において、ＣＰＵ２１は確認操作を受付ける。ユーザーは、モニタ１７に表示された確認画像を見てＯＫを指示する場合に肯定操作を行い、モニタ１７に表示された確認画像を見て撮り直しを指示する場合には否定操作を行う。ＣＰＵ２１は、操作部材１８から肯定操作を示す操作信号が入力された場合にステップＳ１１７を肯定判定してステップＳ１１８へ進む。ＣＰＵ２１は、操作部材１８から否定操作を示す操作信号が入力された場合にはステップＳ１１７を否定判定し、ステップＳ１０７へ戻って第Ｎ画像の撮影アシストを繰り返す。
【００３７】
ステップＳ１１８において、ＣＰＵ２１はＮ＝Ｚが成立するか否かを判定する。ＣＰＵ２１は、Ｎ＝Ｚが成立する場合にステップＳ１１８を肯定判定して図３のステップＳ３００へ進み、Ｎ＝Ｚが成立しない場合にはステップＳ１１８を否定判定してステップＳ１１９へ進む。ステップＳ１１９において、ＣＰＵ２１は、Ｎに１を加算してステップＳ１０７へ戻り、次の画像の撮影をアシストする。以上の処理を繰り返すことにより、バッファメモリ１５内に第１画像〜第Ｚ画像までＺ個の画像データが関連づけて記録される。
【００３８】
図３のステップＳ３００において、ＣＰＵ２１は、たとえば「撮影者を左からＺ番目の人（本例の場合は人物Ｂ）と異なる人と交代してください。カメラを次の撮影者に渡すまで撮影位置を動かないでください」というメッセージをモニタ１７に表示させる。ＣＰＵ２１はさらに、「左からＺ番目の人の右隣へ移動してください」というメッセージをモニタ１７に表示させてステップＳ３２０へ進む。これにより、第Ｚ画像の撮影者（人物Ｃとする）は、Ｚ番目の人（本例の場合は人物Ｂ）と異なる人（本例の場合は人物Ａ）に電子カメラを渡してＺ番目の人（人物Ｂ）の右隣へ移動する。一方、人物Ａは、次の撮影者として人物Ｃが第１画像〜第Ｚ画像を撮影した撮影位置に立って電子カメラを構える。
【００３９】
ステップＳ３２０において、ＣＰＵ２１は、モニタ１７に顔マーク１０３およびフレーム中心マーク１１０ａを表示させて人物撮影のアシストを行う。具体的には、スルー画像を表示するとともに、ステップＳ１０３の場合と同様に検出した顔領域を示す枠（顔マーク１０３）、フレーム枠１００の中央を示すための十字ライン（縦ライン１１０Ｖおよび横ライン１１０Ｈ）で構成されるフレーム中心マーク１１０ａを、表示中のスルー画像に重ね表示させる。図７は、モニタ１７による表示画面を例示する図である。
【００４０】
撮影者は、図７に例示した表示画面の中で検出されている人物Ｃの顔を、縦位置に構えたカメラで以下のように撮影する。ここで、Ｚ番目の人物（人物Ｂ）の少なくとも一部がフレーム内に含まれている。ＣＰＵ２１は、ステップＳ１１０の場合と同様に、フレーム枠１００の中央部に「顔」領域を含めてカメラを構えるように撮影者へ促す表示制御を行う。
【００４１】
顔マーク１０３が示す顔の人物の撮影（第(Ｚ＋１)画像撮影）をアシストする場合のＣＰＵ２１は、顔マーク１０３内のスルー画像データを用いてオートフォーカス調節、および自動露出演算を行う。
【００４２】
ＣＰＵ２１は、レリーズボタン（不図示）が全押し操作された場合に撮像素子１２に第(Ｚ＋１)画像を撮像させてステップＳ３２１へ進む。ステップＳ３２１において、ＣＰＵ２１は、ＡＦＥ回路１３を介して画像処理部１４へ送られた第(Ｚ＋１)画像データを第１画像データ〜第Ｚ画像データと関連づけてバッファメモリ１５に記録してステップＳ３２２へ進む。ステップＳ３２２において、ＣＰＵ２１は、第(Ｚ＋１)画像データによる確認用画像をモニタ１７に表示させてステップＳ３２３へ進む。
【００４３】
ステップＳ３２３において、ＣＰＵ２１は確認操作を受付ける。撮影者は、モニタ１７に表示された確認画像を見てＯＫを指示する場合に肯定操作を行い、モニタ１７に表示された確認画像を見て撮り直しを指示する場合には否定操作を行う。ＣＰＵ２１は、操作部材１８から肯定操作を示す操作信号が入力された場合にステップＳ３２３を肯定判定してステップＳ２００へ進む。ＣＰＵ２１は、操作部材１８から否定操作を示す操作信号が入力された場合にはステップＳ３２３を否定判定し、ステップＳ３２０へ戻って第(Ｚ＋１)画像の撮影アシストを繰り返す。
【００４４】
ステップＳ２００において、ＣＰＵ２１は、合成処理を行う旨のメッセージをモニタ１７に表示させてステップＳ２０１へ進む。ステップＳ２０１において、ＣＰＵ２１は、関連づけられている第１画像〜第(Ｚ＋１)画像をつなぎ合わせる合成処理を行う。図８は、合成処理を説明する図である。ＣＰＵ２１は、第１画像８１、第２（Ｚ）画像８２、および第３(Ｚ＋１)画像をそれぞれつなぎ合わせる。各画像８１〜８３は、互いにフレームの一部が重複部分を有するため、重複する画像情報を合致させるようにつなぐ。枠３０１は、後述するトリミング後のフレーム枠に対応する枠を便宜上図示したものであり、実際の画像には含まれていない。ＣＰＵ２１はさらに、合成後の画像にトリミング処理を施してステップＳ２０２へ進む。
【００４５】
ステップＳ２０２において、ＣＰＵ２１は記録インターフェース１６に指示を送り、トリミング後の画像データを記録媒体２３へ記録させて図３による処理を終了する。図９はトリミング後の画像を例示する図である。本実施形態では、図４におけるフレーム枠１００に相当する枠１００'（すなわち、後述する通常撮影時の撮影範囲）より広い範囲の合成画像を得る例を説明したが、通常撮影時の撮影範囲と同範囲の合成画像を得るように構成してもよい。
【００４６】
（通常撮影）
ステップＳ１０５またはＳ１０６を否定判定して進むステップＳ５００において、ＣＰＵ２１は、レリーズボタン（不図示）の半押し操作を受付け、半押しスイッチ１９ａから半押し操作信号を受けた場合にステップＳ５０１へ進む。
【００４７】
ステップＳ５０１において、ＣＰＵ２１は、顔領域を示す複数の顔マーク内のスルー画像データによるコントラスト情報に基づいて、平均的にオートフォーカス調節を行い、同顔マーク内のスルー画像データによる輝度情報に基づいて、平均的に自動露出演算を行ってステップＳ５０２へ進む。
【００４８】
ステップＳ５０２において、ＣＰＵ２１は、レリーズボタン（不図示）が全押し操作されたか否かを判定する。ＣＰＵ２１は、全押しスイッチ１９ｂから全押し操作信号を受けた場合にステップＳ５０２を肯定判定してステップＳ５０３へ進み、全押しスイッチ１９ｂから全押し操作信号を受けない場合にはステップＳ５０２を否定判定してステップＳ５００へ戻る。
【００４９】
ステップＳ５０３において、ＣＰＵ２１は、撮像素子１２に撮像させてステップＳ５０４へ進む。ステップＳ５０４において、ＣＰＵ２１は、ＡＦＥ回路１３を介して画像処理部１４へ送られた画像データをバッファメモリ１５に記録させる。ＣＰＵ２１はさらに、当該画像データによる確認画像をモニタ１７に表示させるとともに、記録インターフェース１６に指示を送り、当該画像データを記録媒体２３へ記録させて図２による処理を終了する。
【００５０】
以上説明した実施形態によれば、次の作用効果が得られる。
（１）Ｎ人の被写体人物Ａ、Ｂをそれぞれ撮影する各コマの撮影後に、前コマ撮影時の主要被写体人物の隣の未撮影人物を次コマ撮影の主要被写体とすること、前コマ撮影と次コマ撮影とで撮影範囲の一部が重複するように次コマ撮影のフレーミングをすること、を促すとともに、(Ｎ−１)コマ撮影後は、(Ｎ−１)コマ撮影時の撮影操作をした第１撮影者Ｃと(Ｎ−１)コマ撮影時の主要被写体人物以外の撮影済み人物Ａが交代すること、交代人物Ａと反対側の位置であって(Ｎ−１)コマ撮影時の主要被写体人物Ｂの隣へ第１撮影者Ｃが移動すること、第１撮影者Ｃを第Ｎコマ撮影時の主要被写体とすること、(Ｎ−１)コマ撮影と第Ｎコマ撮影とで撮影範囲の一部が重複するように第Ｎコマ撮影のフレーミングをすること、を促すＣＰＵ２１、モニタ１７と、複数の撮影による複数の画像データを関連づけて記録するＣＰＵ２１、バッファメモリ１５および記録インターフェース(I/F)１６とを備えるので、三脚などを使わずに撮影者自身を含む撮影処理へ導くことができる。
【００５１】
（２）スルー画像から所定人数（本例では２人）以上の顔を検出した場合に集合写真の撮影アシストへ進めるようにしたので（ステップＳ１０５）、集合写真撮影の場合に自動的に撮影アシスト処理へ導くことができる。
【００５２】
（３）検出した顔を示す顔マークをフレーム中心に寄せてフレーミングするように促す表示をモニタ１７に行ったので（ステップＳ１１０、Ｓ３２０）、集合写真に含める各人の顔について、それぞれを撮影フレームの中央で撮影するようにアシストできる。なお、各撮影フレームは、互いにフレームの一部が他の撮影フレームと重複する。フレーム中央はフレーム端部に比べて撮影レンズの光学収差の影響を受けにくいため、高品位の画像が得られる。
【００５３】
（４）集合写真に含める各人の顔を撮影フレームの中央でそれぞれ撮影した所定人数分の第１画像〜第(Ｚ＋１)画像について、各画像をつなぎ合わせるように合成した（図８）。これにより、各人の顔を高品位に撮影した(Ｚ＋１)人の集合写真を１画像で構成できる。一般に、広角レンズを用いて撮影する場合にはフレーム両端に位置する被写体の像が歪みやすいが、本実施形態の電子カメラによればこのような影響を抑えることができる。
【００５４】
（５）上記第１画像〜第(Ｚ＋１)画像を合成した画像について、通常撮影の場合の撮影フレームより広範囲の画像が得られるようにトリミングしたので、パノラマ画像のようなワイド画像を得ることができる（図９）。
【００５５】
（６）第(Ｚ＋１)撮影の前に交代を促すようにしたので（ステップＳ３００）、確実に撮影者自身を含む撮影処理へ導くことができる。
【００５６】
（７）第１画像〜第(Ｚ＋１)画像を撮影する際、それぞれ撮影した確認用画像をモニタ１７に表示させ（ステップＳ１１６、Ｓ３２２）、操作部材１８が肯定操作された場合に次の人を対象とする撮影へ進めるようにしたので（ステップＳ１１７、Ｓ３２３）、撮影者がそれぞれの人物の画像を確認して次の撮影処理へ導くことができる。
【００５７】
（８）第１画像〜第(Ｚ＋１)画像を撮影する際、それぞれカメラを縦位置に構えて撮影するように導いたので、隣り合う画像間で背景の高さが異なる場合でも、２つの画像をつなぎ合わせ合成する場合の合成代が確保しやすくなる。さらに、被写体の垂直方向についても撮影レンズの光学収差の影響を受けにくくなり、高品位の画像を得ることができる。
【００５８】
（９）上記第１画像〜第(Ｚ＋１)画像を合成した画像について、通常撮影の場合の撮影フレームより広範囲の画像が得られるようにトリミングしたので、パノラマ画像のようなワイド画像を得ることができる（図９）。
【００５９】
（変形例１）
合成処理を電子カメラ内で行う例を説明したが、パソコンなどの外部機器に合成処理を行わせてもよい。この場合の電子カメラは、バッファメモリ１５に一時記録している第１画像および第２画像のデータを関連づけて、それぞれ記録媒体２３へ記録させる。外部機器は、記録媒体２３に記録した一連の画像データを接合し、さらにトリミングすることによって合成後の画像データを生成する。
【００６０】
（変形例２）
第１画像〜第(Ｚ＋１)画像を撮影する際、それぞれ撮影した確認用画像をモニタ１７に表示させ、操作部材１８が肯定操作された場合に次の人を対象とする撮影へ進めるようにした。この代わりに、あるいはこれに加えて、それぞれ撮影した画像データを用いてＣＰＵ２１が当該画像の適否を自動判定してもよい。ＣＰＵ２１は、たとえば画像から「目つぶり」を検出した場合には次の人を対象にする撮影へ進まず、「目つぶり」判定した人物について撮影をやり直す。ＣＰＵ２１はさらに、画像から「笑顔」を検出した場合は次の人を対象とする撮影へ進めるようにする。
【００６１】
（変形例３）
ステップＳ１１０、Ｓ３２０において行う顔マークの表示色は、顔マークがフレーム枠１００の略中央に位置するか否かで異ならせる例を説明した。この代わりに、顔マークがフレーム枠１００の略中央に位置するか否かで顔マークの表示輝度を異ならせたり、点灯／点滅を切替えたりするようにしてもよい。また、不図示のスピーカから電子音を発することにより、顔マークがフレーム枠１００の略中央に位置するか否かを音で知らせるようにしてもよい。さらにまた、Ｚ番目の人物（人物Ｂ）の少なくとも一部がフレーム内に含まれるように、人物の立ち位置を示す人型マークを表示中のスルー画像に重ね表示してもよい。
【００６２】
（変形例４）
以上の説明では、撮影者を交代する場合に撮影者側から見て右側へ移動する場合を例に説明したが、撮影者側から見て左側へ移動するようにしてもよい。この場合には、「撮影者を右からＺ番目の人と異なる人と交代してください。カメラを次の撮影者に渡すまで撮影位置を動かないでください」というメッセージ、および「右からＺ番目の人の左隣へ移動してください」というメッセージをモニタ１７に表示させればよい。
【００６３】
（変形例５）
撮影者の交代を促したり、カメラを縦に構えることを促したりするメッセージをモニタ１７に表示させる例を説明したが、不図示のスピーカから再生する音声ガイドによって促すようにしてもよい。
【００６４】
以上の説明はあくまで一例であり、上記の実施形態の構成に何ら限定されるものではない。
【図面の簡単な説明】
【００６５】
【図１】本発明の一実施の形態による電子カメラの構成を示すブロック図である。
【図２】全員撮影アシストモード時にＣＰＵが行う処理の流れを説明するフローチャートである。
【図３】全員撮影アシストモード時にＣＰＵが行う処理の流れを説明するフローチャートである。
【図４】モニタによる表示画面を例示する図である。
【図５】モニタによる表示画面を例示する図である。
【図６】モニタによる表示画面を例示する図である。
【図７】モニタによる表示画面を例示する図である。
【図８】合成処理を説明する図である。
【図９】トリミング後の画像を例示する図である。
【符号の説明】
【００６６】
１１…撮像光学系
１２…撮像素子
１５…バッファメモリ
１６…記録インターフェース
１７…モニタ
１８…操作部材
２１…ＣＰＵ
２４…顔検出部
５０…縦／横センサ
【図１】
2010034838.tif 000003
【図２】
2010034838.tif 000004
【図３】
2010034838.tif 000005
【図４】
2010034838.tif 000006
【図５】
2010034838.tif 000007
【図６】
2010034838.tif 000008
【図７】
2010034838.tif 000009
【図８】
2010034838.tif 000010
【図９】
2010034838.tif 000011